(57)【要約】      （修正有）【課題】検索する必要があるバス路線番号情報を便利かつ正確に取得する方法、携帯端末及びサーバーを提供する。【解決手段】カメラによって検索するバスのバス停留所案内板画像を取得するステップと、取得されたバス停留所案内板画像をサーバーにアップロードし、サーバーにバス停留所案内板画像に対してパターン認識を行いバス路線番号情報を特定させるステップと、サーバーからバスが経由するバス停留所の情報と、前記検索するバスの運行時間の情報と、前記検索するバスの路線周辺のレストランの情報とを含むバス路線番号情報を受信するステップとを含む。【選択図】図１
2016085740.tif 000002
【特許請求の範囲】
【請求項１】
カメラによって検索するバスのバス停留所案内板画像を取得するステップと、
取得されたバス停留所案内板画像をサーバーにアップロードし、前記サーバーにバス停留所案内板画像によってバス路線番号情報を特定させるステップと、
サーバーから前記バス路線番号情報を受信するステップと
を含むことを特徴とするバス情報を検索する方法。
【請求項２】
測位機能によってユーザーの現在位置を取得するステップと、
取得されたユーザーの現在位置をサーバーにアップロードし、前記サーバーに前記現在位置及び前記バス停留所案内板画像によって前記バス路線番号情報を特定させるステップと
を更に含むことを特徴とする請求項１に記載のバス情報を検索する方法。
【請求項３】
携帯端末によりアップロードされたバス停留所案内板画像を受信するステップと、
検索するバスのバス路線番号を取得するように、前記バス停留所案内板画像に対してパターン認識を行うステップと、
前記バス路線番号を利用して対応するバス路線番号情報を取得するステップと、
前記バス路線番号情報を前記携帯端末へ返送するステップと
を含み、
前記バス路線番号情報は、前記検索するバスが経由するバス停留所の情報と、前記検索するバスの運行時間の情報と、前記検索するバスの路線周辺のレストランの情報とを含むことを特徴とするバス情報をフィードバックする方法。
【請求項４】
前記携帯端末の現在位置を受信するステップと、
前記バス路線番号及び前記現在位置を利用して前記バス路線番号情報を取得するステップと
を更に含むことを特徴とする請求項３に記載の方法。
【請求項５】
検索するバスのバス路線番号を取得するように、前記バス停留所案内板画像に対してパターン認識を行った後に、パターン認識によって前記バス停留所案内板画像から前記バス路線番号の起終点停留所名を認識するとともに、認識されたバス路線番号の起終点停留所名によって取得された前記バス路線番号を確認するステップを更に含むことを特徴とする請求項３または４に記載の方法。
【請求項６】
カメラによって検索するバスのバス停留所案内板画像を取得すための画像取得モジュールと、
取得されたバス停留所案内板画像をサーバーにアップロードし、前記サーバーにバス停留所案内板画像によってバス路線番号情報を特定させるための画像アップロードモジュールと、
サーバーから前記バス路線番号情報を受信するための情報受信モジュールと
を含むことを特徴とする携帯端末。
【請求項７】
測位機能によってユーザーの現在位置を取得するための位置取得モジュールと、
取得されたユーザーの現在位置をサーバーにアップロードし、前記サーバーに前記現在位置及び前記バス停留所案内板画像によって前記バス路線番号情報を特定させるための位置アップロードモジュールと
を更に含むことを特徴とする請求項６に記載の携帯端末。
【請求項８】
携帯端末によりアップロードされたバス停留所案内板画像を受信するための画像受信モジュールと、
検索するバスのバス路線番号を取得するように、前記バス停留所案内板画像に対してパターン認識を行うためのバス路線番号認識モジュールと、
前記バス路線番号を利用して対応するバス路線番号情報を取得するための情報検索モジュールと、
前記バス路線番号情報を前記携帯端末へ返送するための情報フィードバックモジュールと
を含み、
前記バス路線番号情報は、前記検索するバスが経由するバス停留所の情報と、前記検索するバスの運行時間の情報と、前記検索するバスの路線周辺のレストランの情報とを含むことを特徴とするサーバー。
【請求項９】
前記携帯端末の現在位置を受信するための位置受信モジュールと、
前記バス路線番号及び前記現在位置を利用して前記バス路線番号情報を取得するための結合検索モジュールと
を更に含むことを特徴とする請求項８に記載のサーバー。
【請求項１０】
検索するバスのバス路線番号を取得するように、前記バス停留所案内板画像に対してパターン認識を行った後に、パターン認識によって前記バス停留所案内板画像から前記バス路線番号の起終点停留所名を認識するとともに、認識されたバス路線番号の起終点停留所名によって取得された前記バス路線番号を確認するバス路線番号確認モジュールを更に含むことを特徴とする請求項８または９に記載のサーバー。
【発明の詳細な説明】
【技術分野】
【０００１】
本発明は、インテリジェントな交通技術分野に関し、特にバス情報を検索する方法、バス情報をフィードバックする方法、携帯端末及びサーバーに関する。
【背景技術】
【０００２】
近年では、測位技術が成熟していること及びモバイルインターネット携帯技術の急速な発展に伴い、ますます多くのユーザーは、出かけるときに、電子地図アプリケーションを利用することで出かける経路及び週辺の地理環境に関する情報を取得する。電子地図アプリケーションの実際の使用中において、電子地図アプリケーションによってバスに関する情報を検索することは、ユーザーが最もよく利用する電子地図機能である。
【０００３】
既存の電子地図アプリケーションにおいて、ユーザーがバス路線番号に関する情報を検索する必要がある場合には、ユーザーは自身が当該バス路線番号に対する記憶によって手書きでバス路線番号文字列を入力する。例えば、ユーザーが３３１番のバスに関する情報を検索する必要がある場合には、ユーザーは、電子地図アプリケーションにおいて「３３１」を入力する。しかし、ユーザーがバス路線番号に対する記憶が正しくない場合には、例えば、ユーザーが３３１番のバスを３３７番のバスとして覚えている時、ユーザーが検索する結果とユーザーが得たい結果とが全然同じではない。
【０００４】
このような情況に対して、人々はバス停留所案内板にバス路線番号情報を含む二次元コードを設置する。ユーザーは、二次元コードを走査することで、バス路線番号情報を正確に取得することができる。しかし、各バスに二次元コードを再編成し印刷するためのコストが高い。しかも、二次元コードが壊れた場合には、または遮られた場合には、このような方案は実施されない。
【発明の概要】
【発明が解決しようとする課題】
【０００５】
このような欠点に鑑みて、本発明は、検索する必要があるバス路線番号情報を便利かつ正確に取得するように、バス情報を検索する方法、バス情報をフィードバックする方法、携帯端末及びサーバーを提出する。
【課題を解決するための手段】
【０００６】
本発明実施例の第１方面によれば、カメラによって検索するバスのバス停留所案内板画像を取得するステップと、取得されたバス停留所案内板画像をサーバーにアップロードし、前記サーバーにバス停留所案内板画像によってバス路線番号情報を特定させるステップと、サーバーから前記バス路線番号情報を受信するステップと、を含むバス情報を検索する方法を提供する。
【０００７】
本発明実施例の第２方面によれば、携帯端末によりアップロードされたバス停留所案内板画像を受信するステップと、検索するバスのバス路線番号を取得するように、前記バス停留所案内板画像に対してパターン認識を行うステップと、前記バス路線番号を利用して対応するバス路線番号情報を取得するステップと、前記バス路線番号情報を前記携帯端末へ返送するステップと、を含み、前記バス路線番号情報は、前記検索するバスが経由するバス停留所の情報と、前記検索するバスの運行時間の情報と、前記検索するバスの路線周辺のレストランの情報とを含むバス情報をフィードバックする方法を提供する。
【０００８】
本発明実施例の第３方面によれば、カメラによって検索するバスのバス停留所案内板画像を取得すための画像取得モジュールと、取得されたバス停留所案内板画像をサーバーにアップロードし、前記サーバーにバス停留所案内板画像によってバス路線番号情報を特定させるための画像アップロードモジュールと、サーバーから前記バス路線番号情報を受信するための情報受信モジュールと、を含む携帯端末を提供する。
【０００９】
本発明実施例の第４方面によれば、携帯端末によりアップロードされたバス停留所案内板画像を受信するための画像受信モジュールと、検索するバスのバス路線番号を取得するように、前記バス停留所案内板画像に対してパターン認識を行うためのバス路線番号認識モジュールと、前記バス路線番号を利用して対応するバス路線番号情報を取得するための情報検索モジュールと、前記バス路線番号情報を前記携帯端末へ返送するための情報フィードバックモジュールと、を含み、前記バス路線番号情報は、前記検索するバスが経由するバス停留所の情報と、前記検索するバスの運行時間の情報と、前記検索するバスの路線周辺のレストランの情報とを含むサーバーを提供する。
【００１０】
本発明実施例が提供するバス情報を検索する方法、バス情報をフィードバックする方法、携帯端末及びサーバーは、携帯端末を利用してバス停留所案内板画像を撮影するとともに、サーバーによってバス停留所案内板画像に対してパターン認識を行う。これによって、検索する必要があるバスのバス路線番号情報を便利かつ正確に取得する。
【図面の簡単な説明】
【００１１】
本発明の他の特徴、目的及びメリットは、下記の図面を結合した非限定的な実施例に対する説明において、明らかになる。
【図１】本発明の第一実施例に係るバス情報を検索する方法のフローチャートである。
【図２】本発明の第二実施例に係るバス情報を検索する方法のフローチャートである。
【図３】本発明の第三実施例に係るバス情報をフィードバックする方法のフローチャートである。
【図４】本発明の第三実施例に係るバス停留所案内板画像の模式図である。
【図５】本発明の第三実施例に係るバス停留所案内板画像に対してパターン認識を行う好ましいフローチャートである。
【図６】本発明の第四実施例に係るバス情報をフィードバックする方法のフローチャートである。
【図７】本発明の第五実施例に係るバス情報をフィードバックする方法のフローチャートである。
【図８】本発明の第六実施例に係る携帯端末の構造図である。
【図９】本発明の第七実施例に係るサーバーの構造図である。
【発明を実施するための形態】
【００１２】
以下に、図面及び実施例を参照しながら本発明を更に説明する。ここで、説明される具体的な実施例が例示性のものであり、本発明を解釈するためだけに用いられるものであって、本発明を制限するように理解されてはならない。また、容易に説明するように、図面には、本発明に関する一部分の内容のみが示される。
【００１３】
図１には、本発明の第一実施例が示される。
【００１４】
図１は本発明の第一実施例に係るバス情報を検索する方法のフローチャートである。前記バス情報を検索する方法は、バス情報を検索する装置によって実行する。当該バス情報を検索する装置は、ユーザーの携帯端末における配置される。前記携帯端末は、ユーザーが利用するスマートフォンやタブレットＰＣやパーソナルデジタルアシスタントを含む。
【００１５】
図１を参照して、前記バス情報を検索する方法は以下のステップを含む。
【００１６】
ステップＳ１１０：カメラによって検索するバスのバス停留所案内板画像を取得する。
【００１７】
現在では、市販されている多くの携帯端末にはカメラが搭載される。ユーザーは前記携帯端末に搭載されるカメラによって画像やビデオを撮影する。本実施例において、検索するバスを正確に検索するために、ユーザーが一枚の前記検索するバスのバス停留所案内板画像を提供する必要がある。
【００１８】
前記バス停留所案内板画像は、ユーザーが携帯端末に搭載されるカメラによって取得されたものである。前記バス停留所案内板画像には、検索するバスのバス路線番号が完全に表示されるべきである。即ち、前記バス停留所案内板画像には、前記検索するバスのバス路線番号が、鮮明且つ完全に表示されることができ、遮られるか、または不鮮明になる場合には、検索結果に影響を与える。
【００１９】
ステップＳ１２０：取得されたバス停留所案内板画像をサーバーにアップロードし、前記サーバーにバス停留所案内板画像によってバス路線番号情報を特定させる。
【００２０】
携帯端末はカメラによって前記バス停留所案内板画像を取得した後に、取得されたバス停留所案内板画像をサーバーにアップロードする。一般的には、前記携帯端末は無線通信技術によって前記バス停留所案内板画像を前記サーバーにアップロードする。
【００２１】
前記バス路線番号情報は、電子地図において、前記検索するバス路線番号に関する情報である。例えば、前記バス路線番号情報は、前記検索するバスが経由するバス停留所の情報、前記検索するバスの運行時間の情報及び前記検索するバスの路線周辺のレストランの情報の少なくとも一つの一種である。
【００２２】
サーバーが携帯端末によりアップロードされたバス停留所案内板画像を受信した後に、受信されたバス停留所案内板画像により前記バス路線番号情報を取得する。
【００２３】
ステップＳ１３０：サーバーから前記バス路線番号情報を受信する。
【００２４】
携帯端末は前記バス停留所案内板画像をサーバーにアップロードした後に、サーバーは、前記携帯端末でアップロードされたバス停留所案内板画像により、バックグラウンドデータベースを検索して、バス路線番号情報を取得するとともに、前記バス路線番号情報を携帯端末に返送する。この場合には、前記携帯端末は前記バス路線番号情報を受信する。
【００２５】
本実施例は、カメラを利用して検索するバスのバス停留所案内板画像を取得し、取得されたバス停留所案内板画像をサーバーにアップロードし、前記サーバーにバス停留所案内板画像によりバス路線番号情報を特定させ、サーバーから前記バス路線番号情報を受信することで、サーバーがユーザーで撮影された画像によりユーザーが検索する必要があるバス路線番号を特定して、ユーザーにバス路線番号情報を提供する。これによって、検索する必要があるバスのバス路線番号情報を便利かつ正確に取得する。
【００２６】
図２には、本発明の第二実施例が示される。
【００２７】
図２は本発明の第二実施例に係るバス情報を検索する方法のフローチャートである。前記バス情報を検索する方法は、本発明の第一実施例を基礎として、更に、測位機能によってユーザーの現在位置を取得するステップと、取得されたユーザーの現在位置をサーバーにアップロードし、前記サーバーに前記現在位置及び前記バス停留所案内板画像によって前記バス路線番号情報を特定させるステップと、を含む。具体的には、当該実施例に係るバス情報を検索する方法は以下のステップを含む。
【００２８】
ステップＳ２１０：カメラによって検索するバスのバス停留所案内板画像を取得する。
【００２９】
ステップＳ２２０：測位機能によってユーザーの現在位置を取得する。
【００３０】
現在では、多くの携帯端末には測位機能を有する。携帯端末は自体の測位機能によってユーザの現在位置をリアルタイムで取得する。本実施例において、携帯端末は、カメラによって検索するバスのバス停留所案内板画像を取得する以外に、測位機能によってユーザの現在位置も取得する。
【００３１】
ステップＳ２３０：取得されたバス停留所案内板画像をサーバーにアップロードし、前記サーバーにバス停留所案内板画像によってバス路線番号情報を特定させる。
【００３２】
ステップＳ２４０：取得されたユーザーの現在位置をサーバーにアップロードし、前記サーバーに前記現在位置及び前記バス停留所案内板画像によって前記バス路線番号情報を特定させる。
【００３３】
ユーザーの現在位置を取得した後に、ユーザーの現在位置をサーバーにアップロードする。前記サーバーは、ユーザーによりアップロードされた現在位置を受信した後に、前記現在位置及び前記バス停留所案内板の情報によって前記バス路線番号情報を特定する。
【００３４】
ステップＳ２５０：サーバーから前記バス路線番号情報を受信する。
【００３５】
本実施例は、更に、測位機能によってユーザーの現在位置を取得し、取得されたユーザーの現在位置をサーバーにアップロードし、前記サーバーに前記現在位置及びバス停留所案内板画像によって前記バス路線番号情報を特定させる。これによって、サーバーによりフィードバックされたバス路線番号情報の正確性を向上させる。
【００３６】
図３〜図５には、本発明の第三実施例が示される。
【００３７】
図３は本発明の第三実施例に係るバス情報をフィードバックする方法のフローチャートである。前記バス情報をフィードバックする方法は、バス情報をフィードバックする装置によって実行される。前記バス情報をフィードバックする装置は、ネットワーク側のサーバーに配置される。図３を参照して、前記バス情報をフィードバックする方法は以下のステップを含む。
【００３８】
ステップＳ３１０：携帯端末によりアップロードされたバス停留所案内板画像を受信する。
【００３９】
携帯端末は、カメラによって前記バス停留所案内板画像を取得した後に、取得された前記バス停留所案内板画像をネットワークを介してサーバーにアップロードする。対応に、前記サーバーはネットワークを介して携帯端末によりアップロードされたバス停留所案内板画像を受信する。
【００４０】
図４は本発明の第三実施例に係るバス停留所案内板画像の模式図である。図４を参照して、前記バス停留所案内板画像は、バス路線番号領域４０１と、起終点領域４０２と、現在バス停留所領域４０３と、経由したバス停留所領域４０４とを含む。
【００４１】
前記バス路線番号領域４０１は前記バス停留所案内板画像に対応するバス路線番号を表示するために用いられ、バス路線番号を示すための文字を含む。前記起終点領域４０２は、前記バス停留所案内板画像に対応するバス路線番号の起点及び終点の名称を表示するために用いられる。前記現在バス停留所領域４０３は前記バス停留所案内板画像に対応するバス停留所名を表示するために用いられる。前記経由したバス停留所領域４０４は、前記バス停留所案内板画像に対応するバスが経由したすべてのバス停留所名を表示するために用いられる。
【００４２】
ステップＳ３２０：検索するバスのバス路線番号を取得するように、前記バス停留所案内板画像に対してパターン認識を行う。
【００４３】
ネットワークを介して携帯端末から前記バス停留所案内板画像を受信した後に、受信された前記バス停留所案内板画像に対してパターン認識を行う。
【００４４】
図５は本発明の第三実施例に係るバス停留所案内板画像に対してパターン認識を行う好ましいフローチャートである。図５を参照して、前記サーバーは前記バス停留所案内板画像に対してパターン認識を行うステップは、前記バス停留所案内板画像から前記バス路線番号領域を測位するステップＳ３２１と、前記バス路線番号領域から異なる文字を表示する文字サブ領域に分割するステップＳ３２２と、異なる文字サブ領域から文字を認識するとともに、前記文字サブ領域の順序に認識結果を出力するステップＳ３２３とを含む。
【００４５】
パターン認識の方法で前記バス停留所案内板画像から前記バス路線番号領域を測位してから、バス路線番号領域から異なる文字に対応する文字サブ領域を認識し、最後に、異なる文字サブ領域における文字を認識して、認識結果を出力する。前記認識結果は前記検索するバスのバス路線番号である。
【００４６】
ステップＳ３３０：前記バス路線番号を利用して対応するバス路線番号情報を取得する。前記バス路線番号情報は、前記検索するバスが経由するバス停留所の情報と、前記検索するバスの運行時間の情報と、前記検索するバスの路線周辺のレストランの情報とを含む。
【００４７】
前記バックグラウンドデータベースは、前記サーバーに配置され、前記電子地図における各種類のデータを記憶するためのデータベースである。前記バックグラウンドデータベースに記憶されるデータベースは、バスの起点停留所、終点停留所、途中停留所、バスの運行時間、バス運行路線、バス路線番号の運行路線及び途中停留所周辺の各種類の地図要素を含む。
【００４８】
前記バス停留所案内板画像に対してパターン認識を行って、前記検索するバスのバス路線番号を取得してから、サーバーは、取得されたバス路線番号を利用してバス路線番号情報を取得する。前記バス路線番号情報に対する取得は、バックグラウンドデータベースを検索することで行う取得であることができる。前記バス路線番号情報は、前記検索するバスが経由するバス停留所の情報、前記検索するバスの運行時間の情報及び前記検索するバスの路線周辺の各種類の地図要素の情報の少なくとも一種を含む。
【００４９】
ステップＳ３４０：前記バス路線番号情報を前記携帯端末へ返送する。
【００５０】
前記バックグラウンドデータベースを検索してから、検索によって取得された前記バス路線情報をネットワークを介して前記携帯端末へ返送する。
【００５１】
本実施例は、携帯端末によりアップロードされたバス停留所案内板画像を受信し、検索するバスのバス路線番号を取得するように、前記バス停留所案内板画像に対してパターン認識を行って、前記バス路線番号を利用して対応するバス路線番号情報を取得し、前記バス路線番号情報を前記携帯端末へ返送することによって、検索する必要があるバスのバス路線番号情報を便利かつ正確に取得することができる。
【００５２】
図６には、本発明の第四実施例が示される。
【００５３】
図６は本発明の第四実施例に係るバス情報をフィードバックする方法のフローチャートである。前記バス情報をフィードバックする方法は、本発明の第三実施例を基礎として、更に、前記携帯端末の現在位置を受信するステップと、前記バス路線番号及び前記現在位置を利用して前記バス路線番号情報を取得するステップとを含む。
【００５４】
図６を参照して、前記バス情報をフィードバックする方法は以下のステップを含む。
【００５５】
ステップＳ６１０：携帯端末によりアップロードされたバス停留所案内板画像を受信する。
【００５６】
ステップＳ６２０：検索するバスのバス路線番号を取得するように、前記バス停留所案内板画像に対してパターン認識を行う。
【００５７】
ステップＳ６３０：前記携帯端末の現在位置を受信する。
【００５８】
本実施例において、サーバーは、前記携帯端末からバス停留所案内板画像を受信するだけでなく、前記携帯端末から前記携帯端末の現在位置も受信する。前記現在位置は、携帯端末が自体の測位機能によって取得した携帯端末の自体位置である。
【００５９】
ステップＳ６４０：前記バス路線番号及び前記現在位置を利用して前記バス路線番号情報を取得する。
【００６０】
本実施例において、サーバーは、携帯端末によりアップロードされたバス停留所案内板画像を受信すると同時に、携帯端末によりアップロードされたユーザーの現在位置も受信する。サーバーは、携帯端末によりアップロードされたユーザーの現在位置を受信してから、前記ユーザーの現在位置と前記バス路線番号とを結合して前記バス路線番号情報を取得する。しかも、前記バス路線番号情報に対する取得は、バックグラウンドデータベースを検索することで行う取得である。このような過程に従ってバックグラウンドデータベースを検索する検索結果については、検索するバス路線番号が考慮されるだけでなく、ユーザーが位置する現在位置も考慮される。例えば、前記サーバーは前記ユーザーの現在位置によって、ユーザー周辺の、且つユーザーとの間の距離が距離閾値の範囲内にあるレストランや学校などの地図要素を提供することができるだけでなく、ユーザー周辺の、且つユーザーとの間の距離が距離閾値の範囲内にある乗り換え駅や乗り換える可能性があるバス路線番号を提供することもできる。従って、提供されたバス路線番号情報は、ユーザーの現在位置向けの情報を提供することができ、携帯端末に返送する情報が更に詳細になり、ユーザーの実際のニーズに更に合致する。
【００６１】
ステップＳ６５０：前記バス路線番号情報を前記携帯端末へ返送する。
【００６２】
本実施例は、前記バス路線番号を利用してバックグラウンドデータベースを検索する場合には、前記バス路線番号及び携帯端末によりアップロードされたユーザーの現在位置を利用してバックグラウンドデーベースを検索することで、携帯端末に返送するバス路線番号情報が更に詳細になり、ユーザーの実際のニーズに更に合致する。
【００６３】
図７には、本発明の第五実施例が示される。
【００６４】
図７は本発明の第五実施例に係るバス情報をフィードバックする方法のフローチャートである。当該バス情報をフィードバックする方法は、本発明の第四実施例を基礎として、更に、検索するバスのバス路線番号を取得するように、前記バス停留所案内板画像に対してパターン認識を行った後に、パターン認識によって前記バス停留所案内板画像から前記バス路線番号の起終点停留所名を認識するとともに、認識されたバス路線番号の起終点停留所名によって取得された前記バス路線番号を確認するステップを更に含む。
【００６５】
図７を参照して、前記バス情報をフィードバックする方法は、以下のステップを含む。
ステップＳ７１０：携帯端末によりアップロードされたバス停留所案内板画像を受信する。
【００６６】
ステップＳ７２０：検索するバスのバス路線番号を取得するように、前記バス停留所案内板画像に対してパターン認識を行う。
【００６７】
ステップＳ７３０：パターン認識によって前記バス停留所案内板画像から前記バス路線番号の起終点停留所名を認識するとともに、認識されたバス路線番号の起終点停留所名によって取得された前記バス路線番号を確認する。
【００６８】
前記バス停留所案内板画像は、起終点領域を更に含む。前記起終点領域において、前記検索するバスの起終点停留所名が表示される。前記バス停留所案内板画像のパターン認識によって前記検索するバスのバス路線番号を認識してから、
前記バス停留所案内板画像に対してパターン認識を行って、前記検索するバスの起終点停留所名を認識するとともに、バックグラウンドデータベースに記憶される検索するバス路線情報の起終点停留所名と照合し、これによって、前記検索するバスのバス路線番号を確認する。
【００６９】
好ましくは、前記バス路線番号の起終点停留所名を認識する過程はバス路線番号を認識する過程と類似する。前記バス停留所案内板画像から起終点領域を認識してから、前記起終点領域から起終点停留所名を認識する。
【００７０】
認識された起終点停留所名とバックグラウンドデータベースに記憶される起終点停留所名と照合してから、認識された起点停留所名がバックグラウンドデータベースに記憶される起点停留所名と同じであるとともに、認識された終点停留所名がバックグラウンドデータベースに記憶される終点停留所名と同じである場合には、前記検索するバスのバス路線番号に対する認識結果は正しいと考えられ、前記バス路線番号によってバックグラウンドデータベースを検索するとともに、取得されたバス路線番号情報をユーザーに提供することができる。認識された起点停留所名がバックグラウンドデータベースに記憶される起点停留所名と異なる場合には、または認識された終点停留所名がバックグラウンドデータベースに記憶される終点停留所名と異なる場合には、前記検索するバスのバス路線番号に対する認識結果は正しくないと考えられ、前記バス路線番号によってバックグラウンドデータベースを検索せず、前記バス停留所案内板画像を再度認識し、甚だしきに至っては、携帯端末が前記バス停留所案内板画像を再度アップロードすることが必要である。
【００７１】
ステップＳ７４０：前記携帯端末の現在位置を受信する。
【００７２】
ステップＳ７５０：前記バス路線番号及び前記現在位置を利用して前記バス路線番号情報を取得する。
【００７３】
ステップＳ７６０：前記バス路線番号情報を前記携帯端末へ返送する。
【００７４】
本実施例は、検索するバスのバス路線番号を取得するように、前記バス停留所案内板画像に対してパターン認識を行ってから、更に、パターン認識によって前記バス停留所案内板画像から前記バス路線番号の起終点停留所名を認識するとともに、認識されたバス路線番号の起終点停留所名によって前記バス路線番号を確認し、サーバーに前記バス停留所案内板画像を再度利用してバス路線番号を確認させる。これによって、サーバーが携帯端末にバス路線番号情報をフィードバックする正確性を向上させる。
【００７５】
図８には、本発明の第六実施例が示される。
【００７６】
図８は本発明の第六実施例に係る携帯端末の構造図である。図８を参照して、当該携帯端末は、カメラによって検索するバスのバス停留所案内板画像を取得すための画像取得モジュール８１０と、取得されたバス停留所案内板画像をサーバーにアップロードし、前記サーバーにバス停留所案内板画像によってバス路線番号情報を特定させるための画像アップロードモジュール８３０と、サーバーから前記バス路線番号情報を受信するための情報受信モジュール８５０とを含む。
【００７７】
好ましくは、当該携帯端末は、測位機能によってユーザーの現在位置を取得するための位置取得モジュール８２０と、取得されたユーザーの現在位置をサーバーにアップロードし、前記サーバーに前記現在位置及び前記バス停留所案内板画像によって前記バス路線番号情報を特定させるための位置アップロードモジュール８４０とを更に含む。
【００７８】
図９には、本発明の第七実施例が示される。
【００７９】
図９は本発明の第七実施例に係るサーバーの構造図である。図９を参照して、前記サーバーは、携帯端末によりアップロードされたバス停留所案内板画像を受信するための画像受信モジュール９１０と、検索するバスのバス路線番号を取得するように、前記バス停留所案内板画像に対してパターン認識を行うためにバス路線番号認識モジュール９２０と、前記バス路線番号を利用して対応するバス路線番号情報を取得するための情報検索モジュール９４０と、前記バス路線番号情報を前記携帯端末へ返送するための情報フィードバックモジュール９７０と、を含み、前記バス路線番号情報は、前記検索するバスが経由するバス停留所の情報と、前記検索するバスの運行時間の情報と、前記検索するバスの路線周辺のレストランの情報とを含む。
【００８０】
好ましくは、前記サーバーは、前記携帯端末の現在位置を受信するための位置受信モジュール９５０と、前記バス路線番号及び前記現在位置を利用して前記バス路線番号情報を取得するための結合検索モジュール９６０とを更に含む。
【００８１】
好ましくは、前記サーバーは、検索するバスのバス路線番号を取得するように、前記バス停留所案内板画像に対してパターン認識を行った後に、パターン認識によって前記バス停留所案内板画像から前記バス路線番号の起終点停留所名を認識するとともに、認識されたバス路線番号の起終点停留所名によって取得された前記バス路線番号を確認するバス路線番号確認モジュール９３０を更に含む。
【００８２】
上記された本発明実施例の番号は説明するためだけ、実施例の優劣を代表しない。
【００８３】
上記の本発明の各モジュールまたは各ステップが汎用の計算装置で実現できて、それらは単一の計算装置に集中できるか、または複数の計算装置より組み合わせてネットワークに配布でき、選択的に、それらはコンピューター装置実行可能なプログラムコードで実現できて、それらを記憶装置に記憶して、計算装置で実行できるか、それらをそれぞれに各集積回路モジュールに作成するか、またはそれらの複数のモジュールまたはステップを単一の集積回路モジュールを作成して実現する。これは当業者にとって了解すべきである。このように、本発明がいずれもの特定のハードウェアとソフトウェアの組み合わせに限定されない。
【００８４】
本明細書における各実施例がいずれも進歩的な方式で記載され、各実施例が主に説明するのがその他の実施例との異なる点であり、各実施例間の同一又は類似する部分が互に参照してよい。
【００８５】
上記は本発明の好ましい実施例に過ぎない、本発明はそれに制限ない、当業者に対して、本発明がさまざまの入れ替えと変更があってもいい。本発明の主旨と原理の以内に、あらゆる改変、等価入れ替え、改進等をすべて本発明の保護範囲に含む。
【図１】
2016085740.tif 000003
【図２】
2016085740.tif 000004
【図３】
2016085740.tif 000005
【図５】
2016085740.tif 000006
【図６】
2016085740.tif 000007
【図７】
2016085740.tif 000008
【図８】
2016085740.tif 000009
【図９】
2016085740.tif 000010
【図４】
2016085740.tif 000011